(57)【要約】 【課題】  電子機器及び表示装置並びに通信装置において、操作性の向上や、表示画面の大型化に伴う装置本体の大型化の抑制を図る。【解決手段】  回動軸Ｃによって筺体Ｂが装置本体Ａに対して回動可能に取り付けられると共に、十字キー１０ａの上側操作部及びファンクションキー１０ｂが回動軸Ｃの軸上に位置するよう配置され、上側操作部及びファンクションキー１０ｂを操作したときの操作力が回動軸Ｃの軸上に働くようになっている。【選択図】      図３
2005253101.tif 000002
【特許請求の範囲】
【請求項１】
機器本体に対して回動可能に取り付けられる筺体の表面に表示画面が設けられた電子機器において、
上記筺体の表面に、上記表示画面の表示内容の変更を指示する十字キーを設けたことを特徴とする電子機器。
【請求項２】
上記筺体は、機器本体の上面に配置されると共に、機器本体の前面に向かって回動可能に取り付けられることを特徴とする請求項１記載の電子機器。
【請求項３】
上記筺体の下部に回動軸を設ける一方、当該回動軸の近傍に上記十字キーを配置したことを特徴とする請求項１記載の電子機器。
【請求項４】
上記筺体の下部右側表面に上記十字キーを配置したことを特徴とする請求項３記載の電子機器。
【請求項５】
上記十字キーの上側操作部を上記回動軸の軸上に配置したことを特徴とする請求項３記載の電子機器。
【請求項６】
上記十字キーは、上下左右の各操作部を繋いだ略楕円状のキーであって、上側操作部と下側操作部の間の距離を左側操作部と右側操作部の間の距離よりも短くしたことを特徴とする請求項３記載の電子機器。
【請求項７】
上記筺体の裏面に、上記回動軸を中心とする略円弧状のリブを設け、当該リブに上記筺体の回動を阻害する保持力を印加する一方、
上記十字キーと上記リブを異なる回転作用上に配置したことを特徴とする請求項１記載の電子機器。
【請求項８】
電子機器に対して回動可能に取り付けられる表示装置であって、
表示画面を有する面に、当該表示画面の表示内容の変更を指示する十字キーを設ける一方、当該十字キーを回動軸の軸上に配置したことを特徴とする表示装置。
【請求項９】
通信回線より送られてくるデータに基づく画像を表示画面に表示させると共に、当該表示画面に表示された画像を十字キーの操作に基づいてスクロールさせる通信装置であって、
装置本体に対して回動可能に取り付けられる筺体を設け、当該筺体の表面に上記表示画面と上記十字キーとを設けると共に、回動軸上に上記十字キーを配置したことを特徴とする通信装置。
【請求項１０】
通信回線より送られてくるデータに基づくメニュー画像を表示画面に表示させると共に、当該表示画面に表示されたカーソルを十字キーの操作に基づいて移動させる通信装置であって、
装置本体に対して回動可能に取り付けられる筺体を設け、当該筺体の表面に上記表示画面と上記十字キーとを設けると共に、回動軸上に上記十字キーを配置したことを特徴とする通信装置。
【請求項１１】
通信回線を介して接続される相手側との通話を行うためのハンドセットを装置本体側に設け、当該ハンドセットの側方に上記筺体を配置する一方、
上記十字キーは、上記ハンドセットが設けられた側より離れた位置に配置されることを特徴とする請求項９又は請求項１０記載の通信装置。
【発明の詳細な説明】
【技術分野】
【０００１】
本発明は、電子機器及び表示装置並びに通信装置に関する。
【背景技術】
【０００２】
従来より、電話機やファクシミリ装置等の通信装置においては、通信前情報通知サービスにより取得した相手側電話番号やその電話番号に対応して事前登録された名称を表示したり、キー操作により入力された電話番号や短縮ダイヤル登録された電話番号を表示する操作パネルとして、１〜３行程度の表示が可能な液晶ディスプレイを搭載したものがあった。
【０００３】
又、近年では、大型の液晶ディスプレイを搭載し、通信回線より受信したファクシミリデータに基づく画像を液晶ディスプレイに表示させ、所望の画像のみを選択して用紙に出力できるようにしたものがあり、このような大型の液晶ディスプレイを搭載した通信装置としては、図７に示すように、液晶ディスプレイを備えた筺体ａを装置本体ｂに対して回動可能に設けると共に、液晶ディスプレイの表示内容に対応するファンクションキーｃ及び液晶ディスプレイの表示内容の変更を指示する十字キーｄを装置本体ｂ側に設けるようにしたものが提案されていた。
【発明の開示】
【発明が解決しようとする課題】
【０００４】
ところが、上述のように、ファンクションキーｃ及び十字キーｄを装置本体ｂ側に設けるようにしたものでは、これらファンクションキーｃ及び十字キーｄが液晶ディスプレイから離れた位置に配置されるため、液晶ディスプレイに表示された内容を見ながらファンクションキーｃ及び十字キーｄを操作する際に操作性が良くないといった問題点があり、又液晶ディスプレイ１を大型化するのにしたがって、これらファンクションキーｃ及び十字キーｄを配置する装置本体ｂ上の余剰スペースがなくなり、これらキーを配置するために装置本体ｂに専用スペースを設けなくてはならず、それに伴って装置本体ｂが大型化するといった問題点があった。
【０００５】
本願発明は、操作性の向上や、表示画面の大型化に伴う装置本体の大型化の抑制を図ることのできる電子機器及び表示装置並びに通信装置を提供することを目的とするものである。
【課題を解決するための手段】
【０００６】
上記目的を達成するために、本発明は、機器本体に対して回動可能に取り付けられる筺体の表面に表示画面が設けられた電子機器において、上記筺体の表面に、上記表示画面の表示内容の変更を指示する十字キーを設ける構成としたものである。
【０００７】
又、本発明は、上記の構成に加え、上記筺体を、機器本体の上面に配置させると共に、機器本体の前面に向かって回動可能に取り付ける構成としたものである。
【０００８】
又、本発明は、上述の構成に加え、上記筺体の下部に回動軸を設ける一方、当該回動軸の近傍に上記十字キーを配置する構成としたものである。
【０００９】
又、本発明は、上述の構成に加え、上記筺体の下部右側表面に上記十字キーを配置する構成としたものである。
【００１０】
又、本発明は、上記の構成に加え、上記十字キーの上側操作部を上記回動軸の軸上に配置する構成としたものである。
【００１１】
又、本発明は、上述の構成に加え、上記十字キーを、上下左右の各操作部を繋いだ略楕円状のキーとし、上側操作部と下側操作部の間の距離を左側操作部と右側操作部の間の距離よりも短く構成したものである。
【００１２】
又、本発明は、上述の構成に加え、上記筺体の裏面に、上記回動軸を中心とする略円弧状のリブを設け、当該リブに上記筺体の回動を阻害する保持力を印加する一方、上記十字キーと上記リブを異なる回転作用上に配置する構成としたものである。
【００１３】
又、本発明は、電子機器に対して回動可能に取り付けられる表示装置であって、表示画面を有する面に、当該表示画面の表示内容の変更を指示する十字キーを設ける一方、当該十字キーを回動軸の軸上に配置する構成としたものである。
【００１４】
又、本発明は、通信回線より送られてくるデータに基づく画像を表示画面に表示させると共に、当該表示画面に表示された画像を十字キーの操作に基づいてスクロールさせる通信装置であって、装置本体に対して回動可能に取り付けられる筺体を設け、当該筺体の表面に上記表示画面と上記十字キーとを設けると共に、回動軸上に上記十字キーを配置する構成としたものである。
【００１５】
又、本発明は、通信回線より送られてくるデータに基づくメニュー画像を表示画面に表示させると共に、当該表示画面に表示されたカーソルを十字キーの操作に基づいて移動させる通信装置であって、装置本体に対して回動可能に取り付けられる筺体を設け、当該筺体の表面に上記表示画面と上記十字キーとを設けると共に、回動軸上に上記十字キーを配置する構成としたものである。
【００１６】
更に、本発明は、上記の構成に加え、通信回線を介して接続される相手側との通話を行うためのハンドセットを装置本体側に設け、当該ハンドセットの側方に上記筺体を配置する一方、上記十字キーを、上記ハンドセットが設けられた側より離れた位置に配置する構成としたものである。
【００１７】
従って、本発明によれば、機器本体に対して回動可能に取り付けられる筺体の表面に、表示画面と当該表示画面の表示内容の変更を指示する十字キーを設けたことにより、表示内容を見ながら行う十字キーの操作性の向上を図ることができると共に、表示画面の大型化に伴う装置本体の大型化を抑制することができる。
【００１８】
又、本発明によれば、機器本体の上面に配置され、機器本体の前面に向かって回動可能に取り付けられる筺体の表面に、表示画面と当該表示画面の表示内容の変更を指示する十字キーを設けたことにより、表示内容を見ながら行う十字キーの操作性の向上を図ることができると共に、表示画面の大型化に伴う装置本体の大型化を抑制することができる。
【００１９】
又、本発明によれば、機器本体に対して回動可能に取り付けられる筺体の表面に、表示画面と当該表示画面の表示内容の変更を指示する十字キーを設けると共に、当該十字キーを筺体の下部に設けられた回動軸の近傍に配置したことにより、十字キーの操作による筺体の回動を抑制することができる。
【００２０】
又、本発明によれば、機器本体に対して回動可能に取り付けられる筺体の下部右側表面に、表示画面と当該表示画面の表示内容の変更を指示する十字キーを設けると共に、当該十字キーを筺体の下部に設けられた回動軸の近傍に配置したことにより、十字キーの操作による筺体の回動を抑制することができる。
【００２１】
又、本発明によれば、機器本体に対して回動可能に取り付けられる筺体の表面に、表示画面と当該表示画面の表示内容の変更を指示する十字キーを設けると共に、当該十字キーの上側操作部を筺体の下部に設けられた回動軸の軸上に配置したことにより、十字キーの操作による筺体の回動をより一層抑制することができる。
【００２２】
又、本発明によれば、機器本体に対して回動可能に取り付けられる筺体の表面に、表示画面と当該表示画面の表示内容の変更を指示する十字キーを設けると共に、当該十字キーとして、上下左右の各操作部を繋いだ略楕円状のキーを用い、上側操作部と下側操作部の間の距離を左側操作部と右側操作部の間の距離よりも短くしたことにより、十字キーの操作による筺体の回動をより一層抑制することができる。
【００２３】
又、本発明によれば、機器本体に対して回動可能に取り付けられる筺体の表面に、表示画面と当該表示画面の表示内容の変更を指示する十字キーを設けると共に、筺体の裏面で且つ十字キーと異なる回転作用上に、筺体の回動を阻害する保持力が印加された略円弧状のリブを設けることにより、十字キーの操作時において回動軸に偏心作用を発生させ、これによって十字キーの操作による筺体の回動を抑制することができる。
【００２４】
又、本発明によれば、電子機器に対して回動可能に取り付けられる表示装置に、表示画面と当該表示画面の表示内容の変更を指示する十字キーとを同一面上に設けると共に、当該十字キーを回動軸の軸上に配置したことにより、表示内容を見ながら行う十字キーの操作性の向上を図ることができたり、表示画面の大型化に伴う装置本体の大型化を抑制することができると共に、十字キーの操作による表示装置の回動を抑制することができる。
【００２５】
又、本発明によれば、装置本体に対して回動可能に取り付けられる筺体を設け、当該筺体の表面に、通信回線より送られてくるデータに基づく画像を表示する表示画面と、その表示画面に表示された画像をスクロールさせる十字キーとを設けると共に、当該十字キーを回動軸上に配置したことにより、表示内容を見ながら行う十字キーの操作性の向上を図ることができたり、表示画面の大型化に伴う装置本体の大型化を抑制することができると共に、十字キーの操作による表示装置の回動を抑制することができる。
【００２６】
又、本発明によれば、装置本体に対して回動可能に取り付けられる筺体を設け、当該筺体の表面に、通信回線より送られてくるデータに基づくメニュー画像を表示する表示画面と、その表示画面にメニュー画像と共に表示されるカーソルを移動させる十字キーとを設けると共に、当該十字キーを回動軸上に配置したことにより、表示内容を見ながら行う十字キーの操作性の向上を図ることができたり、表示画面の大型化に伴う装置本体の大型化を抑制することができると共に、十字キーの操作による表示装置の回動を抑制することができる。
【００２７】
更に、本発明によれば、装置本体に対して回動可能に取り付けられる筺体を、装置本体に設けられるハンドセットの側方に配置し、その筺体の表面に表示画面と十字キーとを設けると共に、その十字キーを筺体の回動軸上であってハンドセットが設けられた側より離れた位置に配置することにより、表示内容を見ながら行う十字キーの操作を、ハンドセット使用時において劣化させることなく行うことができる。
【発明の効果】
【００２８】
以上のように、本発明によれば、回動可能に取り付けられる筺体又は表示装置の表面に、表示画面と当該表示画面の表示内容の変更を指示する十字キーを設けたことにより、表示内容を見ながら行う十字キーの操作性の向上を図ることができると共に、表示画面の大型化に伴う装置本体の大型化を抑制することができる。これにより、特にファクシミリ装置や電話機のように机上に載置され使用される電子機器や通信装置において、表示を見易い状態に保ちながら十字キーを円滑に操作することができる。
【００２９】
又、本発明によれば、回動軸の近傍又は軸上に十字キーを配置したことにより、十字キーの操作による筺体の回動を抑制することができるため、回動可能に取り付けられる筺体又は表示装置に十字キーを設けたことによる不具合を解消することができる。
【００３０】
又、本発明によれば、上下左右の各操作部を繋いだ略楕円状のキーを十字キーとして用い、上側操作部と下側操作部の間の距離を左側操作部と右側操作部の間の距離よりも短くしたことにより、十字キーの操作による筺体の回動を抑制することができるため、回動可能に取り付けられる筺体に十字キーを設けたことによる不具合を解消することができる。
【００３１】
更に、本発明によれば、機器本体に対して回動可能に取り付けられる筺体の表面に、表示画面と当該表示画面の表示内容の変更を指示する十字キーを設けると共に、筺体の裏面で且つ十字キーと異なる回転作用上に、筺体の回動を阻害する保持力が印加された略円弧状のリブを設けることにより、十字キーの操作時において回動軸に偏心作用を発生させ、これによって十字キーの操作による筺体の回動を抑制することができるため、回動可能に取り付けられる筺体に十字キーを設けたことによる不具合を解消することができる。
【発明を実施するための最良の形態】
【００３２】
以下、本発明の実施の形態を図面を参照して詳細に説明する。
図１は本発明の一実施の形態であるファクシミリ装置の構成を示す機能ブロック図、図２は同ファクシミリ装置の外観構成を示す説明図であり、（ａ）は筺体を降ろした状態を示す斜視図、（ｂ）は筺体を持ち上げた状態を示す斜視図、（ｃ）は筺体を降ろした状態を示す平面図である。図３は同ファクシミリ装置の要部の構成を示す説明図、図４乃至図６は同ファクシミリ装置における画像表示時の動作制御を示すフローチャートである。
【００３３】
以下、図１乃至図６に基づいて本発明の一実施の形態であるファクシミリ装置を説明する。
【００３４】
図１乃至図３において、１は通信回線、２は通信回線の捕捉／開放を行う回線制御部、３は回線制御部２により捕捉した通信回線１の接続先を切り替えるクロスポイントスイッチ等により構成される切替部、４は切替部３を介して接続された通信回線１を介して相手側通信端末とやり取りされるデータの変復調を行うモデム、５は切替部３を介して接続された通信回線１を介して相手側通信装置との間の通話経路を形成する通話制御部、６は通話制御部５によって形成された通話経路を用いて音声の送受話を行うハンドセットであある。
【００３５】
７は原稿から画像データを読み取るスキャナ、８は画像データに基づく画像を印刷するプリンタ、９は画像データに基づく画像を表示する表示部、１０は表示部９の表示内容の変更を指示する十字キー１０ａやファンクションキー１０ｂやスタートキー１０ｃや数字／文字キー１０ｄ等からなる操作部、１１はモデム４によって復調されたデータに基づく画像データやスキャナ７によって読み取られた画像データや電話帳データやプログラムデータ等の各種データを記憶するメモリである。
【００３６】
１２はメモリ１１に記憶されたプログラムデータに基づいて各部の制御を行う主制御部であり、モデム４によって復調された簡易ＨＴＭＬデータを画像データに変換する機能や、モデム４によって復調されたファクシミリデータを画像データに変換する機能や、スキャナ７及びメモリ１１から供給される画像データをファクシミリデータに変換する機能や、操作部１０のスタートキーの操作に従って最寄りのアクセスポイントに対する接続を行いインターネット網に接続する機能や、操作部１０の操作内容をインターネット網上での指示信号に変換する機能や、操作部１０の操作に従ってメモリ１１に記憶された電話帳データから所望の電話番号を抽出して表示部９に表示させたりダイヤル発信する機能等を備えている。
【００３７】
そして、上述した回線制御部２と切替部３とモデム４と通話制御部５とハンドセット６とスキャナ７とプリンタ８と表示部９と操作部１０とメモリ１１と主制御部１２とによってファクシミリ装置が構成されており、これら構成のうち、表示部９と十字キー１０ａとファンクションキー１０ｂとスタートキー１０ｃとが装置本体Ａとは別体の筺体Ｂの表面側に設けられている。尚、装置本体Ａ側に設けられた各部と筺体Ｂ側に設けられた各部との間のデータ伝送は、コードやフレキシブル基板等の有線で行う方法や、ＩｒＤＡやBluetooth等の無線で行う方法があり、特に、筺体Ｂを装置本体Ａに対して着脱自在に設けるような場合には、装置本体Ａに設けられる各部と筺体Ｂに設けられる各部との間のデータ伝送に無線方式を用いると良い。
【００３８】
この筺体Ｂはその下部に回動軸Ｃが、裏面に回動軸Ｃを中心とする略円弧状のリブＤがそれぞれ設けられており、この回動軸Ｃによって筺体Ｂが装置本体Ａに対して回動可能に取り付けられると共に、装置本体Ａ側に設けられた弾性体であるゴムＥがリブＤに圧接されることによって筺体Ｂにその回動を阻害する保持力が印加されている。
【００３９】
このように構成された筺体Ｂは、ハンドセット６の側方に配置され、且つこの筺体Ｂに設けられた十字キー１０ａは、ハンドセット６が設けられた側より離れた位置、即ち筺体Ｂの下部右側の表面に配置される。これにより、ハンドセット６を使用しながら表示部９の表示内容を見て十字キー１０ａを操作する場合であっても手や腕が邪魔になって表示部９を隠すことが無くなるため、ハンドセット６の使用時においても、表示部９の表示内容を見ながら十字キー１０ａを円滑に操作することができる。
【００４０】
又、上記のように構成された筺体Ｂは、装置本体側に設けられた数字／文字キー１０ｄの側方に配置され、且つこの筺体Ｂに設けられた十字キー１０ａは、数字／文字キー１０ｄが設けられた側、即ち筺体Ｂの下部右側の表面に配置される。これにより、十字キー１０ａの操作から数字／文字キー１０ｄの操作に移行する場合や、数字／文字キー１０ｄの操作から十字キー１０ａの操作に移行する場合において、その移行をスムーズに行うことができるため、表示部９の表示内容を見ながら行う十字キー１０ａ及び数字／文字キー１０ｄの操作を円滑に行うことができる。
【００４１】
又、十字キー１０ａは上下左右の各操作部を繋いだ略楕円状の構造となっており、その上側操作部と下側操作部の間の距離が左側操作部と右側操作部の間の距離よりも短くなるよう構成されていると共に、その中央部に空隙が設けられ、その空隙にスタートキー１０ｃが配置されている。尚、十字キー１０ａは、このような構造に限定されるものではなく、上方に突出させたレバーを倒すことによって上下左右の操作を行う構造であっても良い。
【００４２】
又、十字キー１０ａの上側操作部及びファンクションキー１０ｂは、回動軸Ｃの軸上に位置するよう配置され、上側操作部及びファンクションキー１０ｂを操作したときの操作力が回動軸Ｃの軸上に働くようになっているため、その操作力によって筺体Ｂが回動することはない。
【００４３】
これに対して、十字キー１０ａの左側操作部、右側操作部、下側操作部、及びスタートキー１０ｃを操作した場合には、キー操作に要する操作力以上の力が印加されたとき、その余分な力が筺体Ｂを持ち上げる方向に作用する。
【００４４】
例えば、十字キー１０ａの下側操作部を操作した場合、十字キー１０ａの操作力は約１２０gfで、回動軸Ｃから２０mmの位置に作用する。リブＤとゴムＥとによって発生する保持力は約１.２kgｆで、回動軸Ｃから３０mmの位置に作用する。従って、筺体Ｂの回転モーメントを比較すると、筺体Ｂの回動保持力は約３６kgf・mmであり、十字キー１０ａの操作力による筺体Ｂの回転力は２.４kgf・mmとなるため、筺体Ｂの任意角度の保持力に影響を与えることがなく、更なる保持機構を設ける必要がなくなるため、コストの抑制をも可能となる。
【００４５】
又、十字キー１０ａの下側操作部を押下し、筺体Ｂを回動させる力Ｆは、約１.８kgfの操作力が必要となり、通常の十字キーの操作力１２０gfの力では、筺体Ｂの角度保持状態を阻害することはない。
【００４６】
又、筺体Ｂの角度維持モーメントは１１kgf・mmとなるため、回動軸Ｃの軸上に十字キー１０ａの下側操作部を配置した場合における上側操作部を操作したときの回転モーメントは１３.４kgf・mmとなる。この値は筺体Ｂの角度維持状態を阻害する恐れのない十分な値であるため、十字キー１０ａについてはこのように配置するようにしても良く、又同様の理由により、ファンクションキー１０ｂについても回転軸Ｃの軸上ではなくその近傍に配置するようにしても良い。
【００４７】
又、十字キー１０ａを筺体Ｂの右側下部に、リブＤを筺体Ｂ左側上部に配置し、それぞれの回動作用線が交わらないようにしたことにより、十字キー１０ａの操作時に、回動軸Ｃに偏心作用が発生し、回転軸Ｃの回転が阻害される。これにより、十字キー１０ａ操作時の操作力による筺体Ｂの角度保持への影響を軽減することができる。
【００４８】
次に、上記のように構成されたファクシミリ装置について、画像表示時の動作を、図４乃至図６に示すフローチャートに基づいて説明する。
【００４９】
通信回線１への接続が行われていない待機状態において、主制御部１２は操作部１０のメニューキーの押下状態及びスタートキー１０ｃの押下状態を監視しており（ステップＳ１，Ｓ２）、このような状態においてメニューキーが押下されたとき、メモリ１１から画像データを読み出して表示部９に表示させる（ステップＳ５）。
【００５０】
又、スタートキー１０ｃが押下されたとき、主制御部１２は回線制御部２を制御して最寄りのアクセスポイントに対する接続を行いインターネット網に接続する（ステップＳ３）と共に、切替部３を制御して回線制御部２を介して接続される通信回線１の接続先をモデム４側に切り替え（ステップＳ４）、このモデム４によって復調され主制御部１２によって変換された画像データに基づく画像を表示部９に表示させる（ステップＳ５）。
【００５１】
そして、主制御部１２は、表示部９に画像が表示されたとき、その画像がメニュー画像であるかファクシミリ受信画像や簡易ＨＴＭＬ画像等の画像データであるか識別し（ステップＳ６）、メニュー画像であると識別した場合には、メニュー画像に応じたキー制御を実行し（ステップＳ７）、画像データであると識別した場合には、画像データに応じたキー制御を実行する（ステップＳ８）。
【００５２】
このメニュー画像に応じたキー制御は、図５に示すように、十字キー１０ａが押下されたとき（ステップＳ１１）、その押下された上下左右の操作部に応じて表示部９に表示しているカーソルを上下左右に移動させ（ステップＳ１２）、ファンクションキー１１ｂが押下されたとき（ステップＳ１３）、そのファンクションキー１１ｂに対応して表示部９に表示されている機能を実行し（ステップＳ１６）、スタートキー１０ｃが押下されたとき（ステップＳ１４）、カーソルが選択している機能を実行する（ステップＳ１５）。
【００５３】
又、画像データに応じたキー制御は、図６に示すように、十字キー１０ａが押下されたとき（ステップＳ２１）、その押下された上下左右の操作部に応じて表示部９に表示している画像を上下左右にスクロールさせ（ステップＳ２２）、ファンクションキー１１ｂが押下されたとき（ステップＳ２３）、そのファンクションキー１１ｂに対応して表示部９に表示されている機能を実行し（ステップＳ２６）、スタートキー１０ｃが押下されたとき（ステップＳ２４）、表示部９に表示している画像に対応する画像データをプリンタ８に供給して所定の用紙に印刷させる（ステップＳ２５）。
【００５４】
従って、上記動作制御によれば、表示部９に表示されている画像に基づく操作を、表示部９の近傍に設けられた十字キー１０ａ、ファンクションキー１０ｂ、スタートキー１０ｃによって行うことができると共に、その表示部９と十字キー１０ａとファンクションキー１０ｂとスタートキー１０ｃとを、装置本体Ａに対して回動可能に取り付けられた筺体Ｂに設けることにより、筺体Ｂを起こして表示部９の表示内容を見易い状態に保持した場合にも、キー操作を円滑に行うことができる。しかも、このキー操作によって筺体Ｂが不用意に回動することがないため、非常に使い勝手が良い。
【図面の簡単な説明】
【００５５】
【図１】本発明の一実施の形態であるファクシミリ装置の構成を示す機能ブロック図である。
【図２】同ファクシミリ装置の外観構成を示す説明図であり、（ａ）は筺体を降ろした状態を示す斜視図、（ｂ）は筺体を持ち上げた状態を示す斜視図、（ｃ）は筺体を降ろした状態を示す平面図である。
【図３】同ファクシミリ装置の要部の構成を示す説明図である。
【図４】同ファクシミリ装置における画像表示時の動作制御を示すフローチャートである。
【図５】メニュー画像表示時におけるキー操作時の動作制御を示すフローチャートである。
【図６】画像データ表示時におけるキー操作時の動作制御を示すフローチャートである。
【図７】従来例であるファクシミリ装置の外観構成を示す説明図であり、（ａ）は筺体を降ろした状態を示す斜視図、（ｂ）は筺体を持ち上げた状態を示す斜視図、（ｃ）は筺体を降ろした状態を示す平面図である。
【符号の説明】
【００５６】
Ａ  装置本体
Ｂ  筺体
Ｃ  回動軸
Ｄ  リブ
Ｅ  ゴム
１  通信回線
２  回線制御部
３  切替部
４  モデム
５  通話制御部
６  ハンドセット
７  スキャナ
８  プリンタ
９  表示部
１０  操作部
１１  メモリ
１２  主制御部
【図１】
2005253101.tif 000003
【図２】
2005253101.tif 000004
【図３】
2005253101.tif 000005
【図４】
2005253101.tif 000006
【図５】
2005253101.tif 000007
【図６】
2005253101.tif 000008
【図７】
2005253101.tif 000009